(57)【特許請求の範囲】
【請求項１】
棚板の前端部と後端部とのいずれか一方に、複数の係止部を、左右方向に所定間隔おきに設け、前記複数の係止部に、補助棚板の両側部より起立する取付部材における前上部と後上部とのいずれか一方に設けた被係止部を、選択的に、かつ着脱可能に係止するとともに、前記取付部材の前上部と後上部とのいずれか他方を、前記棚板の前端部と後端部とのいずれか他方に、前記取付部材に対して前後方向に移動可能に取り付けられたスライド板に連設された掛止片が、前方または後方より着脱可能に掛止することにより、前記棚板の下方に、補助棚板を架設したことを特徴とする物品載置用什器。
【請求項２】
棚板の前端部と後端部に、複数の係止部を、左右方向に所定間隔おきに設け、前記棚板の前端部と後端部とのいずれか一方の前記複数の係止部に、補助棚板の両側部より起立する取付部材における前上部と後上部とのいずれか一方に設けた被係止部を、選択的に、かつ着脱可能に係止するとともに、前記棚板の前端部と後端部とのいずれか他方の前記複数の係止部に、前記取付部材に対して前後方向に移動可能に取り付けられたスライド板に連設された掛止片を、前方または後方より選択的に、かつ着脱可能に掛止することにより、前記棚板の下方に、補助棚板を架設したことを特徴とする物品載置用什器。
【請求項３】
取付部材を左右一対として、それらの下端部間に補助棚板を着脱可能に架設したことを特徴とする請求項１または２に記載の物品載置用什器。
【請求項４】
左右の取付部材における下部の対向面に、前後方向を向く正面視内向きコ字状のガイド溝を設け、両ガイド溝により、補助棚板の両側部を前後方向に移動可能に支持したことを特徴とする請求項３に記載の物品載置用什器。
【請求項５】
棚板の前端部と後端部とのいずれか一方、またはその両方に、棚板の前後の上縁より起立する物品の落下防止片を、着脱可能に取り付け、この落下防止片に係止部を設けたことを特徴とする請求項１ないし４のいずれかに記載の物品載置用什器。
【請求項６】
係止部を、落下防止片に穿設した前後方向に開口する係止孔とするとともに、被係止部を、前記係止孔に前方または後方より嵌合可能な係止片としたことを特徴とする請求項５に記載の物品載置用什器。
【発明の詳細な説明】
【技術分野】
【０００１】
本発明は、例えば工場等で使用される作業台や商品陳列棚などの物品載置用什器に係わり、特に、棚板の下方に、補助棚板を取り付ける取付構造に関する。
【背景技術】
【０００２】
棚板の下方に、補助棚板を取り付けた物品載置用什器としては、左右の支柱の前面の取り付けた、棚板支持用の左右一対のブラケットの上縁に、補助棚板における左右両側縁の上向片の上端に設けた内向係止片を係止することにより、棚板の下方に、補助棚板を取り付けたもの（例えば、特許文献１参照）、棚板の下面に取り付けた左右方向を向く上部材の下部に、左右一対の側板を固着し、両側板の対向面に設けたレールにより、補助棚板すなわちキーボード載置台を、前後方向に移動可能に支持したもの（例えば、特許文献２参照）、棚板の下方に、補助棚板すなわち左右複数のスライド棚板を、前後方向に移動可能に取り付けたもの（例えば、特許文献３参照）などがある。
【先行技術文献】
【特許文献】
【０００３】
【特許文献１】特許第４１６０３３３号公報
【特許文献２】特許第３０５４０９０号公報
【特許文献３】特開２００１−２１０９７８号公報
【発明の概要】
【発明が解決しようとする課題】
【０００４】
前述した特許文献１〜３に記載されている物品載置用什器においては、いずれも、棚板に対し補助棚板の左右位置を簡単に変更することができないだけでなく、補助棚板の左右寸法は一定であるので、物品載置用什器が作業台等である場合に、補助棚板に載置された物品の取り出し位置を、左右方向に最適に変更したり、載置する物品の大きさや数量等に応じて、補助棚板の左右幅を変更したりすることができず、使い勝手が悪い。
【０００５】
本発明は、このような問題点に着目してなされたもので、棚板の下方に、補助棚板を、左右位置を変更可能に取り付けうるようにするとともに、異なる左右幅の補助棚板を取り付け可能とし、さらに、補助棚板を前後方向に移動可能に取り付けることができるようにした、使い勝手のよい物品載置用什器を提供することを目的としている。
【課題を解決するための手段】
【０００６】
前記課題を解決するために、本発明の物品載置用什器は、
棚板の前端部と後端部とのいずれか一方に、複数の係止部を、左右方向に所定間隔おきに設け、前記複数の係止部に、補助棚板の両側部より起立する取付部材における前上部と後上部とのいずれか一方に設けた被係止部を、選択的に、かつ着脱可能に係止するとともに、前記取付部材の前上部と後上部とのいずれか他方を、前記棚板の前端部と後端部とのいずれか他方に、前記取付部材に対して前後方向に移動可能に取り付けられたスライド板に連設された掛止片が、前方または後方より着脱可能に掛止することにより、前記棚板の下方に、補助棚板を架設したことを特徴としている。
この特徴によれば、棚板の前端部と後端部とのいずれか一方に設けた複数の係止部に、補助棚板の両側部より起立する取付部材における前上部と後上部とのいずれか一方に設けた被係止部を、選択的に、かつ着脱可能に係止するとともに、取付部材の前上部と後上部とのいずれか他方を、棚板の前端部と後端部とのいずれか他方に、掛止手段をもって着脱可能に掛止したことにより、棚板の下方に、補助棚板を、左右位置を変更可能に取り付けることができ、補助棚板の使い勝手が向上する。
【０００８】
本発明の物品載置用什器は、
棚板の前端部と後端部に、複数の係止部を、左右方向に所定間隔おきに設け、前記棚板の前端部と後端部とのいずれか一方の前記複数の係止部に、補助棚板の両側部より起立する取付部材における前上部と後上部とのいずれか一方に設けた被係止部を、選択的に、かつ着脱可能に係止するとともに、前記棚板の前端部と後端部とのいずれか他方の前記複数の係止部に、前記取付部材に対して前後方向に移動可能に取り付けられたスライド板に連設された掛止片を、前方または後方より選択的に、かつ着脱可能に掛止することにより、前記棚板の下方に、補助棚板を架設したことを特徴としている。
この特徴によれば、棚板の下方に、補助棚板を、左右位置を変更可能に取り付けることができるだけでなく、棚板の前端部と後端部の複数の係止部により、取付部材が左右方向に移動するのが規制されるので、左右の取付部材及びそれに架設された補助棚板も左右方向に移動する恐れはなく、棚板に安定的に取り付けられる。
【０００９】
本発明の物品載置用什器は、
取付部材を左右一対として、それらの下端部間に補助棚板を着脱可能に架設したことを特徴としている。
この特徴によれば、左右複数の係止部のいずれかに、左右の取付部材を個別に選択して係止しうるので、載置する物品の大きさや数量等に応じて、左右の取付部材の対向面間に、左右幅の異なる補助棚板を容易に架設することができ、補助棚板の使い勝手がより向上する。
【００１０】
本発明の物品載置用什器は、
左右の取付部材における下部の対向面に、前後方向を向く正面視内向きコ字状のガイド溝を設け、両ガイド溝により、補助棚板の両側部を前後方向に移動可能に支持したことを特徴としている。
この特徴によれば、補助棚板を前方に引き出すことができるので、それに載置した物品を前方より容易に取り出したり、操作したりすることができる。
【００１１】
本発明の物品載置用什器は、
棚板の前端部と後端部とのいずれか一方、またはその両方に、棚板の前後の上縁より起立する物品の落下防止片を、着脱可能に取り付け、この落下防止片に係止部を設けたことを特徴としている。
この特徴によれば、着脱可能な落下防止片に係止部を設けてあるので、棚板自体に係止部を設ける必要がなく、他の棚板と共通化できるとともに、棚板の仕様の変更も容易となる。
【００１２】
本発明の物品載置用什器は、
係止部を、落下防止片に穿設した前後方向に開口する係止孔とするとともに、被係止部を、前記係止孔に前方または後方より嵌合可能な係止片としたことを特徴としている。
この特徴によれば、係止孔に係止片を容易に係止しうるとともに、係止後において係止片は左右方向に移動するのが規制されるので、補助棚板が安定する。
【図面の簡単な説明】
【００１３】
【図１】本発明の物品載置用什器の一実施例の側面図である。
【図２】同じく、物品載置用什器の上部の拡大前方斜視図である。
【図３】左右の取付部材の拡大正面図である。
【図４】図３のIV−IV線に沿う縦断側面図である。
【図５】図２のV−V線に沿う拡大縦断側面図である。
【図６】図５のVI−VI線に沿う縦断正面図である。
【図７】補助棚板を前方に引き出したときの要部の縦断側面図である。
【発明を実施するための形態】
【００１４】
本発明に係る物品載置用什器を実施するための形態を実施例に基づいて以下に説明する。
【実施例】
【００１５】
実施例に係る物品載置用什器につき、図1から図7を参照して説明する。図１は、本発明の物品載置用什器の一例である、工場等で使用される作業台１の側面図、図２は、その上部の拡大前方斜視図を示すもので、この作業台１は、上端部の対向面同士が横連結杆２により連結され、かつ下端が前後方向（以下、図１の左方を前として説明する）を向く左右のベース脚３の後端部上面に固着された左右一対の支柱４、４を備えている。
【００１６】
左右の支柱４の前面には、左右２列の多数の係合孔５が、上下方向に一定間隔おきに形成され、各支柱４における上下方向の中央部の上下複数の係合孔５には、前後方向を向くブラケット６の後端の複数の係止フック７が係止されている。左右のブラケット６の上面には、前端部下面が脚柱８をもって床面に支持されたテーブル９の両側端部が取り付けられている。
【００１７】
テーブル９の上方において、左右の支柱４の前面には、水平をなす左右一対のブラケット１０と、前下方に傾斜する左右一対のブラケット１１とが、それらの後端に突設された上下複数の係止フック１２を、支柱４の前面の複数の係合孔５に係止することにより、互いに上下に離間させて前向きに取り付けられている。左右のブラケット１０、１１の下端部の対向面には、棚板１３、１３の両側端が、それぞれ水平及び前下方に傾斜するように取り付けられている。
【００１８】
図２に示すように、上下の棚板１３の前端部には、それに載置された物品が前方に落下するのを防止する左右方向の落下防止片１４が、棚板１３の前縁の上方に突出するようにして固着され、この落下防止片１４における棚板１３の上面よりも若干上方に位置する部分には、前後方向に開口する横長スリット状の複数の係止孔１５が、左右方向に一定間隔おきに穿設されている。なお、落下防止片１４は、棚板１３の下面に、ねじ等により着脱可能に取り付けるのが好ましい（図５参照）。このようにすると、棚板１３自体に係止孔１５を設ける必要がないので、他の棚板と共通化しうるとともに、落下防止片１４を、棚板１３を水平とした際などに取り外すことができる。
【００１９】
上下の棚板１３の下方には、補助棚板１６、１６が次のようにして取り付けられている。なお、上下の補助棚板１６は同じ取付構造であるので、上部の補助棚板１４の取付構造のみ説明する。
【００２０】
図３は、補助棚板１６取り付け用の左右一対の取付部材１７、１７の拡大正面図、図４は、同じく縦断側面図で、左右の取付部材１７は、側面板１８と、その上縁に連設された内向水平片１９とを備える正面視ほぼ倒立Ｌ字状をなし、側面板１８の下縁と、内向水平片１９の後部の内縁とには、それぞれ、短寸の内向片１８ａと下向片１９ａとが連設されている。
【００２１】
内向水平片１９におけるやや内方寄りの前縁には、起立片１９ｂが連設され、この起立片１９ｂの上端には、前述した棚板１３の落下防止片１４の係止孔１５に、前方より選択的に嵌合して係止可能な係止片１９ｃが、後向きに連設されている。
【００２２】
内向水平片１９のやや内方寄りの後端部上面には、前後２個のナット２０、２０が、溶接により固着されている。また、内向水平片１９のほぼ中央部の上面には、棚板１３の下面に当接可能な平板状のスペーサ２１が、溶接により固着されている。
【００２３】
左右の取付部材１７同士は、それらの内向片１８ａ、１８ａの後半部の上面に、連結板２２の側端部を、前後２個ずつのボルト２３とナット２４により固定することにより、互いに連結されている。なお、連結板２２は必ずしも必要ではなく、左右一対の取付部材１７のみとして、連結板２２を省略してもよい。このように、左右一対の取付部材１７のみとすると、それらの対向面間の離間寸法を任意に変更しうるので、左右の取付部材１７により、左右幅の異なる補助棚板１６を支持することができる。
【００２４】
左右の取付部材１７における側面板１８の下端部の内側面には、補助棚板１６の両側端部を前後方向に移動可能に支持する正面視内向きコ字状のガイドレール２５、２５が、連結板２２の上面と近接または当接するようにして、互いに対向状に固着されている。なお、このガイドレール２５により、内向きコ字状のガイド溝が形成されるが、このようなガイドレール２５を取り付けないで、側面板１８の下部をコ字状に折曲して、内向きコ字状のガイド溝を形成することもできる。
【００２５】
両ガイドレール２５の下片２５ａの前端部上面には、補助棚板１６の両側部下面と側面を摺動自在に案内する、摩擦抵抗の小さな合成樹脂よりなる正面視内向きＬ字状のガイド部材２６、２６が、その下片２６ａの下面に突設された突軸２６ｂを、下片２５ａに穿設した取付孔（図示略）に圧嵌することにより、取り付けられている。なお、両ガイド部材２６は、補助棚板１６を前方に引き出した際に、これを前限位置で停止させるストッパを兼ねている（詳細は後述する）。
【００２６】
図４及び図５に示すように、連結板２２の後縁には、補助棚板１６に載置した物品が後方より落下するのを防止する落下防止片２２ａが、上向きに連設されている。
【００２７】
図５の縦断側面図に示すように、補助棚板１６の前後寸法は、取付部材１７の前後寸法より若干短かく、かつ上下寸法がガイドレール２５内に余裕をもって挿入可能な寸法とされ、その上面板１６ａの前端部下面には、前縁が上下両方向に向かって折曲された板状部材２７が、左右方向に全長に亘ってスポット溶接等により固着されている。板状部材２７の上向折曲部は、補助棚板１６に載置した物品の落下防止片２７ａとされ、同じく下向折曲部は、補助棚板１６を後限位置で停止させるストッパ片２７ｂ及び把手とされている。
【００２８】
補助棚板１６の両側部下面の前端部には、左右一対のストッパ突部２８が下向きに突設され、このストッパ突部２８の前端が、前述したガイド部材２６の下片２６ａの後端に当接することにより、補助棚板１６は、前方に移動するのが防止されるようになっている。
【００２９】
補助棚板１６の後部の両側部下面には、左右のガイドレール２５における下片２５ａの上面に沿って摺動する、摩擦抵抗の小さな合成樹脂よりなるスライダ２９が取り付けられている。また、補助棚板１６の後端部の両側面にも、左右のガイドレール２５における互いに対向する内側面に沿って摺動するスライダ２９が取り付けられている。さらに、補助棚板１６の後端部の両側部上面には、補助棚板１６を前方に引き出すのに伴って徐々に前下がりになる際に、左右のガイドレール２５における上片２５ｂの下面に摺接しうるスライダ２９が取り付けられている。なお、前述の両側部下面のスライダ２９は、補助棚板１６を引き出した際に、ガイド部材２６の後端に当接する前限用のストッパを兼ねている（図７参照）。
【００３０】
図５及び図６に示すように、左右の取付部材１７における内向水平片１９の後端部下面には、正面視下向きコ字状断面をなし、かつ後端に、棚板１３の後端部上面に掛止可能な側面視前向き倒立Ｌ字状断面の掛止片３０を有するスライド板３１が、次のように前後方向に摺動可能に取り付けられている。すなわち、スライド板３１の上面板３１ａには、前後方向を向く長孔３２が形成され、この長孔３２に下方より挿入した前後２個のボルト３３、３３を、内向水平片１９の図示しない通孔を介して、その上面に固着しておいた前後のナット２０、２０に螺合することにより、内向水平片１９の下面にスライド板３１が取り付けられ、２個のボルト３３を緩めれば、スライド板３１を前後方向に摺動させることができる。
【００３１】
棚板１３の下方に補助棚板１６を取り付けるには、まず連結板２２により連結された左右一対の取付部材１７を、棚板１３に次のようにして係止する。
【００３２】
すなわち、図５に示すように、左右の取付部材１７の係止片１９ｃを、棚板１３の前面の落下防止片１４に設けた複数の係止孔１５のいずれかに、前方より嵌合して係止するとともに、予め後方にスライドさせておいたスライド板３１を、２点鎖線の位置から前方に移動させて、その掛止片３０の上縁の前向片３０ａを、棚板１３の後端部上面に後方より掛止する。その後、ボルト３３を締め付けて、スライド板３１を取付部材１７の内向水平片１９に固定することにより、左右の取付部材１７を、棚板１３の左右方向の任意の位置に取り付ける。
【００３３】
次いで、左右の取付部材１７の下端部の対向面間に、補助棚板１６を前方より挿入して、その両側端部をガイドレール２５により支持すれば、棚板１３の下方に補助棚板１６を取り付けることができる。両ガイドレール２５により支持された補助棚板１６は、その両側部の前端部下面に突設したストッパ突部２８の前端が、ガイドレール２５の下片２５ａの前端部上面に取り付けたガイド部材２６の後端に当接することにより、補助棚板１６は、前方に移動するのが防止され、後限に位置させておくことができる。
【００３４】
なお、補助棚板１６を左右の取付部材１７により支持した状態で、両取付部材１７と共に棚板１３に取り付けることもできる。
【００３５】
図７は、補助棚板１６を後限位置から前方に引き出した状態を示すものであるが、この際には、補助棚板１６の前端部を若干持ち上げ、ストッパ突部２８をガイド部材２６より離間させれば、前方に引き出すことができる。補助棚板１６が前限位置まで引き出されると、後端部下面のスライダ２９がガイド部材２６の後端に当接して停止する。補助棚板１６を前方に引き出すことにより、それに載置したキーボードＫ等を前方から容易に操作することができる。
【００３６】
以上説明したように、前述の実施例の作業台１においては、棚板１３の前面の落下防止片１４に設けた左右複数の係止孔１５に、左右の取付部材１７の前端上部に設けた後向きの係止片１９ｃを、選択的に、かつ着脱可能に係止しうるようにしてあり、また左右の取付部材１７の後端上部は、それに前後方向に移動可能に取り付けたスライド板３１の掛止片３０を介して、棚板１３の後端部上面に後方より掛止しているのみであるので、左右の取付部材１７の左右位置を容易に変更することができ、それにより支持された補助棚板１６も、棚板１３の下方に、左右位置を変更可能として取り付けることができる。従って、作業者が補助棚板１６に載置した物品を取り出したり、操作したりする際の左右位置を変更することができるので、使い勝手が向上する。
【００３７】
また、前述したように、連結板２２を省略すれば、左右の取付部材１７の棚板１３への左右の係止位置を個別に変更しうるので、載置する物品の大きさや数量等に応じて、左右の取付部材１７により、左右幅の異なる補助棚板１６を支持することができる。
【００３８】
以上、本発明の実施例を図面により説明してきたが、具体的な構成はこれら実施例に限られるものではなく、本発明の要旨を逸脱しない範囲における変更や追加があっても本発明に含まれる。
【００３９】
例えば、前記実施例では、取付部材１７の前端上部に設けた後向きの係止片１９ｃを、棚板１３の前面の落下防止片１４に設けた左右複数の係止孔１５に係止し、取付部材１７の後端上部に前後方向に移動可能に取り付けたスライド板３１の掛止片３０を、棚板１３の後端部上面に上方より掛止しているが、それらを前後反対とすることもできる。すなわち、棚板１３の前面の落下防止片１４を省略して、これと同様の落下防止片１４を、図５の２点鎖線で示すように、棚板１３の後面側に設け、取付部材１７の前端上部の起立片１９ｂと係止片１９ｃを掛止片として、棚板１３の前端部上面に掛止するとともに、スライド板３１の前向片３０ａを係止片として、２点鎖線で示す落下防止片１４の係止孔に掛止してもよい。この際、スライド板３１を取付部材１７の前部側に取り付けて、前向片３０ａを取付部材１７に一体的に設けてもよい。
【００４０】
また、棚板１３の前後両面に、落下防止片１４を設け、それらに設けた左右複数の係止孔１５に、取付部材１７の前端上部に設けた後向きの係止片１９ｃと、スライド板３１の前向片３０ａとを選択的に係止させるようにしてもよい。このようにすると、前後の落下防止片１４に設けた係止孔１５により、取付部材１７が左右方向に移動するのが規制されるので、左右の取付部材１７及びそれにより支持された補助棚板１６が棚板１３に安定的に取り付けられる。
【符号の説明】
【００４１】
１                作業台（物品載置用什器）
１３              棚板
１４              落下防止片
１５              係止孔（係止部）
１６              補助棚板
１７              取付部材
１８              側面板
１８ａ            内向片
１９              内向水平片
１９ａ            下向片
１９ｂ            起立片
１９ｃ            係止片（被係止部）
２２              連結板
２２ａ            落下防止片
２７              板状部材
２７ａ            落下防止片
２７ｂ            ストッパ片
【図１】
0005798362.tif 000002
【図２】
0005798362.tif 000003
【図３】
0005798362.tif 000004
【図４】
0005798362.tif 000005
【図５】
0005798362.tif 000006
【図６】
0005798362.tif 000007
【図７】
0005798362.tif 000008